(57)【特許請求の範囲】
【請求項１】
既知の位置においてモバイルデバイス（３００）を動作させる方法であって、
位置固定点として動作するように前記モバイルデバイス（３００）に指示する、アクセスポイント（１０２、１０４、１０６、１０８）によって送信される命令を受信することであって、位置固定点として動作することが、ｉ）信号の受信された信号強度を、前記信号の送信元のデバイス（２１１８）を特定する情報とともに、ネットワーク要素（１１０）へ報告することと、ｉｉ）前記モバイルデバイス（３００）の位置を示す位置情報を提供する信号をブロードキャストすることとのうちの少なくとも１つを実行することを含む、受信することと、
前記命令を受信したことに応答して、位置固定点として動作することであって、位置固定点として前記動作することが、前記の、ｉ）信号の受信された信号強度を、前記信号の送信元のデバイス（２１１８）を特定する情報とともに、ネットワーク要素（１１０）へ報告することと、ｉｉ）前記位置固定点として動作している前記モバイルデバイス（３００）の前記位置を示す位置情報を提供する信号をブロードキャストすることとのうちの少なくとも１つを実行することを含む、動作することとを備える、方法。
【請求項２】
位置固定点として動作することが、信号の受信された信号強度を、前記信号の送信元のデバイス（２１１８）を特定する情報とともに報告することを含む、請求項１に記載の方法であって、
前記方法がさらに、
前記信号の前記受信された信号強度を報告する前に、前記受信された信号強度を測定することを備え、
前記信号の送信元の前記デバイス（２１１８）が、第２のモバイルデバイス（２１１８）である、請求項１に記載の方法。
【請求項３】
前記命令が、前記モバイルデバイス（３００）が位置固定点として動作すべき時間の長さを示す時間情報を含む、請求項１に記載の方法。
【請求項４】
前記アクセスポイント（１０２、１０４、１０６、１０８）が不変の位置にある請求項１に記載の方法であって、
位置固定点として動作したことに対する報奨を受けることをさらに備える、方法。
【請求項５】
位置固定点として動作したことに対する報奨を受けることが、前記モバイルデバイス（３００）に与えられるＱｏＳレベルの向上の許可を示す情報を受信することを含む、請求項４に記載の方法。
【請求項６】
位置固定点として動作するように前記モバイルデバイス（３００）に指示する、アクセスポイント（１０２、１０４、１０６、１０８）によって送信される命令を受信するための手段（４０４）であって、位置固定点として動作することが、ｉ）信号の受信された信号強度を、前記信号の送信元のデバイス（２１１８）を特定する情報とともに、ネットワーク要素（１１０）へ報告することと、ｉｉ）前記モバイルデバイス（３００）の位置を示す位置情報を提供する信号をブロードキャストすることとのうちの少なくとも１つを実行することを含む、手段（４０４）と、
前記命令を受信したことに応答して、位置固定点として動作するための手段（４０６）であって、位置固定点として動作するための前記手段（４０６）が、
ｉ）信号の受信された信号強度を、前記信号の送信元のデバイス（２１１８）を特定する情報とともに、ネットワーク要素（１１０）へ報告することと、
ｉｉ）前記位置固定点として動作している前記モバイルデバイス（３００）の前記位置を示す位置情報を提供する信号をブロードキャストすることと
のうちの少なくとも１つを実行するための手段（４０８）を含む、手段（４０６）とを備える、モバイルデバイス（３００）。
【請求項７】
位置固定点として動作するための前記手段（４０６）が、前記信号の前記受信された信号強度を測定するためのものでもあり、
前記信号の送信元の前記デバイス（２１１８）が、第２のモバイルデバイス（２１１８）である、請求項６に記載のモバイルデバイス（３００）。
【請求項８】
前記命令が、前記モバイルデバイス（３００）が位置固定点として動作すべき時間の長さを示す時間情報を含む、請求項６に記載のモバイルデバイス（３００）。
【請求項９】
前記アクセスポイント（１０２、１０４、１０６、１０８）が不変の位置にある請求項６に記載のモバイルデバイス（３００）であって、
位置固定点として動作したことに対する報奨を受けるための手段（４１４）をさらに備える、モバイルデバイス（３００）。
【請求項１０】
位置固定点として動作したことに対する報奨を受けるための前記手段（４１４）が、前記モバイルデバイス（３００）に与えられるＱｏＳレベルの向上の許可を示す情報を受信するための手段（４１６）を含む、請求項９に記載のモバイルデバイス（３００）。
【請求項１１】
モバイルデバイス（３００）において使用するためのプログラムであって、
位置固定点として動作するように前記モバイルデバイス（３００）に指示する、アクセスポイント（１０２、１０４、１０６、１０８）によって送信される命令を、受信する手順であって、位置固定点として動作することが、ｉ）信号の受信された信号強度を、前記信号の送信元のデバイス（２１１８）を特定する情報とともに、ネットワーク要素（１１０）へ報告することと、ｉｉ）前記モバイルデバイス（３００）の位置を示す位置情報を提供する信号をブロードキャストすることとのうちの少なくとも１つを実行することを含む、手順と、
前記命令を受信したことに応答して、位置固定点として動作するように前記モバイルデバイス（３００）を制御する手順であって、
ｉ）信号の受信された信号強度を、前記信号の送信元のデバイス（２１１８）を特定する情報とともに、ネットワーク要素（１１０）へ報告することと、
ｉｉ）前記位置固定点として動作している前記モバイルデバイス（３００）の前記位置を示す位置情報を提供する信号をブロードキャストすることと
のうちの少なくとも１つを実行する手順を含む、手順とをコンピュータに実行させるためのプログラム。
【請求項１２】
少なくとも１つのプロセッサ（３０２）と、
前記少なくとも１つのプロセッサ（３０２）に結合されるメモリ（３０４）とを備えるモバイルデバイス（３００）であって、前記少なくとも１つのプロセッサ（３０２）が、
位置固定点として動作するように前記モバイルデバイス（３００）に指示する、アクセスポイント（１０２、１０４、１０６、１０８）によって送信される命令を受信するように構成され、このとき位置固定点として動作することが、ｉ）信号の受信された信号強度を、前記信号の送信元のデバイス（２１１８）を特定する情報とともに、ネットワーク要素（１１０）へ報告することと、ｉｉ）前記モバイルデバイス（３００）の位置を示す位置情報を提供する信号をブロードキャストすることとのうちの少なくとも１つを実行することを含み、
前記命令を受信したことに応答して、位置固定点として動作するように前記モバイルデバイス（３００）を制御するようにさらに構成され、このとき、前記少なくとも１つのプロセッサ（３０２）が、位置固定点として動作するように前記モバイルデバイス（３００）を制御するように構成されることの一部として、
ｉ）受信された信号強度を、前記信号の送信元のデバイス（２１１８）を特定する情報とともに、ネットワーク要素（１１０）へ報告することと、
ｉｉ）前記位置固定点として動作している前記モバイルデバイス（３００）の前記位置を示す位置情報を提供する信号をブロードキャストすることと
のうちの少なくとも１つを実行するように構成される、モバイルデバイス（３００）。
【請求項１３】
前記少なくとも１つのプロセッサ（３０２）が、
前記信号の前記受信された信号強度を報告する前に、前記受信された信号強度を測定するように構成され、
前記信号の送信元の前記デバイス（２１１８）が、第２のモバイルデバイス（２１１８）である、請求項１２に記載のモバイルデバイス（３００）。
【請求項１４】
前記命令が、前記モバイルデバイス（３００）が位置固定点として動作すべき時間の長さを示す時間情報を含む、請求項１２に記載のモバイルデバイス（３００）。
【請求項１５】
前記アクセスポイント（１０２、１０４、１０６、１０８）が不変の位置にあり、
前記少なくとも１つのプロセッサ（３０２）がさらに、
位置固定点として動作したことに対する報奨を受けるように構成される、請求項１２に記載のモバイルデバイス（３００）。
【請求項１６】
モバイルデバイス（１９００）を動作させる方法であって、
前記モバイルデバイス（１９００）が位置固定点として動作できる位置のセットを、前記モバイルデバイス（１９００）によって受信することと、
前記モバイルデバイス（１９００）の現在の位置を、前記モバイルデバイス（１９００）によって測定することと、
前記モバイルデバイス（１９００）の前記現在の位置が、前記受信された位置のセットの中の位置の少なくとも１つの近隣であるかどうかを、前記モバイルデバイス（１９００）によって判定することと、
前記モバイルデバイス（１９００）が前記受信された位置のセットの中の位置の少なくとも１つの前記近隣にある間、前記モバイルデバイス（１９００）によって位置固定点として動作することとを備える、方法。
【請求項１７】
前記モバイルデバイス（１９００）の前記現在の位置が、前記近隣の外側の位置に変わったと判定することと、
前記モバイルデバイス（１９００）の前記現在の位置が、前記近隣の外側の位置に変わったという前記判定に応答して、位置固定点として動作するのを停止することとをさらに備える、請求項１６に記載の方法。
【請求項１８】
位置固定点として動作することが、
ｉ）信号の受信された信号強度を、前記信号の送信元のデバイス（２１１８）を特定する情報とともに、ネットワーク要素（１１０）へ報告することと、
ｉｉ）位置情報を提供する信号をブロードキャストすることとのうちの少なくとも１つを実行することを含む、請求項１６に記載の方法。
【請求項１９】
位置固定点として動作したことに対する報奨を受けることをさらに備える、請求項１６に記載の方法。
【請求項２０】
位置固定点として動作したことに対する報奨を受けることが、前記モバイルデバイス（１９００）に与えられるＱｏＳレベルの向上の許可を示す情報を受信することを含む、請求項１９に記載の方法。
【請求項２１】
モバイルデバイス（１９００）が位置固定点として動作できる位置のセットを受信するための手段（２００４）と、
前記モバイルデバイス（１９００）の現在の位置を測定するための手段（２００６）と、
前記モバイルデバイス（１９００）の前記現在の位置が、前記受信された位置のセットの中の位置の少なくとも１つの近隣であるかどうかを判定するための手段（２００８）と、
前記モバイルデバイス（１９００）が前記受信された位置のセットの中の位置の少なくとも１つの前記近隣にある間、位置固定点として動作するための手段（２０１２）とを備える、モバイルデバイス（１９００）。
【請求項２２】
前記モバイルデバイス（１９００）の前記現在の位置が、前記近隣の外側の位置に変わったかどうかを判定するための手段（２０２０）と、
前記モバイルデバイス（１９００）の前記現在の位置が、前記近隣の外側の位置にあると判定されたことに応答して、位置固定点として動作するのを停止するように前記モバイルデバイス（１９００）を制御するための手段（２０２２）とをさらに備える、請求項２１に記載のモバイルデバイス（１９００）。
【請求項２３】
位置固定点として動作するための前記手段（２０１２）が、
ｉ）信号の受信された信号強度を、前記信号の送信元のデバイス（２１１８）を特定する情報とともに、ネットワーク要素（１１０）へ報告することと、
ｉｉ）位置情報を提供する信号をブロードキャストすることとのうちの少なくとも１つを実行するための手段（２０１４）を含む、請求項２１に記載のモバイルデバイス（１９００）。
【請求項２４】
位置固定点として動作したことに対する報奨を受けるための手段（２０２６）をさらに備える、請求項２１に記載のモバイルデバイス（１９００）。
【請求項２５】
位置固定点として動作したことに対する報奨を受けるための前記手段（２０２６）が、前記モバイルデバイス（１９００）に与えられるＱｏＳレベルの向上の許可を示す情報を受信するための手段（２０２８）を含む、請求項２１に記載のモバイルデバイス（１９００）。
【請求項２６】
モバイルデバイス（１９００）において使用するためのプログラムであって、
前記モバイルデバイス（１９００）が位置固定点として動作できる位置のセットを、受信する手順と、
前記モバイルデバイス（１９００）の現在の位置を測定する手順と、
前記モバイルデバイス（１９００）の前記現在の位置が、前記受信された位置のセットの中の位置の少なくとも１つの近隣であるかどうかを、判定する手順と、
前記モバイルデバイス（１９００）が、前記受信された位置のセットの中の位置の少なくとも１つの前記近隣にある間、位置固定点として動作する手順とをコンピュータに実行させるためのプログラム。
【請求項２７】
モバイルデバイス（１９００）が位置固定点として動作できる位置のセットを受信し、
前記モバイルデバイス（１９００）の現在の位置を測定し、
前記モバイルデバイス（１９００）の前記現在の位置が、前記受信された位置のセットの中の位置の少なくとも１つの近隣であるかどうかを判定し、
前記モバイルデバイス（１９００）が前記受信された位置のセットの中の位置の少なくとも１つの前記近隣にある間、位置固定点として動作するように構成された、少なくとも１つのプロセッサ（１９０２）と、
前記少なくとも１つのプロセッサ（１９００）に結合されたメモリ（１９０４）とを備える、モバイルデバイス（１９００）。
【請求項２８】
前記少なくとも１つのプロセッサ（１９０２）がさらに、
前記モバイルデバイス（１９００）の前記現在の位置が、前記近隣の外側の位置に変わったかどうかを判定し、
前記モバイルデバイス（１９００）の前記現在の位置が、前記近隣の外側の位置に変わったという判定に応答して、位置固定点として動作するのを停止するように構成される、請求項２７に記載のモバイルデバイス（１９００）。
【請求項２９】
前記少なくとも１つのプロセッサ（１９０２）が、位置固定点として動作するように構成されることの一部として、
ｉ）信号の受信された信号強度を、前記信号の送信元のデバイス（２１１８）を特定する情報とともに、ネットワーク要素（１１０）へ報告することと、
ｉｉ）位置情報を提供する信号をブロードキャストすることとのうちの少なくとも１つを実行するように構成される、請求項２７に記載のモバイルデバイス（１９００）。
【請求項３０】
前記少なくとも１つのプロセッサ（１９０２）がさらに、
位置固定点として動作したことに対する報奨を受けるように構成される、請求項２７に記載のモバイルデバイス（１９００）。
【発明の詳細な説明】
【技術分野】
【０００１】
様々な実施形態は、ワイヤレス通信に関し、より具体的には、モバイルデバイスの測位に関連する方法および装置に関する。
【背景技術】
【０００２】
モバイル通信デバイスの位置を測定することは、様々なサービスを提供する際に有用である。たとえば、現在のデバイスの位置情報は、ある地理的な領域での他のピアの発見、すなわち、モバイルデバイスが訪れる地理的な領域において関心の対象になり得るサービスおよび／または他の情報源の発見に関連するサービスを、提供および／または取得する際に有用であり得る。
【０００３】
位置固定点、たとえば既知の位置にあるアクセスポイントから送信された信号によって、または、位置固定点によって受信される信号、たとえばモバイルワイヤレス端末からアクセスポイントによって受信された信号によって、モバイルデバイスの位置を測定するための、様々な方法が存在する。残念ながら、何らかの理由によって、アクセスポイントは、位置固定点として役割を果たす際に有用ではない、建物内の場所または他の位置に位置していることが多い。そのような理由には、既に存在する配線の位置、アクセスポイントを設置する壁もしくは他の構造物、および／または、アクセスポイントもしくはアクセスポイントによって使用され得る既存の設備のために利用可能な空間に関連する他の理由を含み得ることが多い。
【０００４】
その結果、建物および／または他の敷地は、その敷地におけるモバイルデバイスの正確な測位を支援するために位置固定点を有するのが望ましい１つまたは複数の位置に、位置固定点として役割を果たし得るアクセスポイントを含まないことが多い。
【０００５】
上の議論を考慮して、建物および／または他の敷地における、位置固定点の配置および／または分布を改善する必要があることが、理解されよう。
【発明の概要】
【０００６】
いくつかの実施形態では、ある程度の精度で位置が分かっているモバイルデバイスは、追加の位置固定点を有するのが望ましい位置にそのモバイルデバイスがあると判定されると、たとえばモバイルデバイスの位置を追跡または測定するのに使われるネットワーク要素によって、一時的な位置固定点として動作するように指示される。
【０００７】
モバイル固定点として動作するための指示を受信するモバイルデバイスは、受信された指示に従って、位置固定点として動作する。この指示は、モバイルデバイスが位置固定点として動作すべき時間の長さを規定することができる。そのような動作は通常、モバイルデバイスが本来は送信しない信号の送信を含むので、モバイルデバイスは、電力を消費しやすくなり、かつ／または、位置固定点としてモバイルデバイスを使用することによる他の負の影響を受ける。位置固定点として役割を果たしたことに対して、モバイルデバイスは報奨を受け得る。この報奨は、金銭であってよく、または、ネットワークによって提供されるサービスまたは特典の形態であってよい。たとえば、モバイルデバイスは、位置固定点として役割を果たす時間の長さに基づく期間、高いレベルのＱｏＳによって報酬を受け得るか、または、モバイルデバイスのユーザが支払いを受けていない何らかの他のサービスを提供され得る。
【０００８】
位置固定点として役割を果たすことは、モバイルデバイスが位置固定点として動作する領域において、モバイルデバイスから信号を受信することと、受信された信号強度を測定することと、信号の受信と、受信された信号強度と、信号の送信元の１つまたは複数のモバイル装置を特定する情報とを、ネットワーク中のモバイルデバイスの位置を測定し追跡する前記ネットワーク要素へ報告することとを含み得る。
【０００９】
デバイスの位置が個々のモバイルデバイスによって求められる他の実施形態では、一時的な位置固定点として動作するモバイルデバイスは、一時的な位置固定点として役割を果たすモバイルデバイスの位置を示す信号を送信することができる。信号を受信するデバイスは、一時的な位置固定点の示された位置からの概略的な距離を信号強度から求め、その情報を他の位置固定点から求められた情報と組み合わせて、一時的な位置固定点からの信号がない場合に可能な精度よりも高い精度で、デバイスの位置を測定することができる。
【００１０】
いくつかの実施形態によれば、既知の位置においてモバイルデバイスを動作させる例示的な方法は、位置固定点として動作するようにモバイルデバイスに指示する命令を受信することと、前記命令を受信したことに応答して、位置固定点として動作することとを備える。いくつかの実施形態によれば、例示的なモバイルデバイスは、位置固定点として動作するようにモバイルデバイスに指示する命令を受信し、前記命令を受信したことに応答して、位置固定点として動作するように前記モバイルデバイスを制御するように構成される、少なくとも１つのプロセッサを備える。例示的なモバイルデバイスはさらに、前記少なくとも１つのプロセッサに結合されたメモリを備える。
【００１１】
いくつかの実施形態によれば、モバイルデバイスを動作させる例示的な方法は、モバイルデバイスが位置固定点として動作できる位置のセットを受信することと、モバイルデバイスの現在の位置を測定することと、モバイルデバイスの前記現在の位置が、受信された位置のセットの中の位置の少なくとも１つの近隣にあるかどうかを判定することと、前記モバイルデバイスが、受信された位置のセットの中の位置の少なくとも１つの近隣にある間、位置固定点として動作することとを備える。いくつかの実施形態によれば、例示的なモバイルデバイスは、モバイルデバイスが位置固定点として動作できる位置のセットを受信し、モバイルデバイスの現在の位置を測定し、モバイルデバイスの前記現在の位置が、受信された位置のセットの中の位置の少なくとも１つの近隣にあるかどうかを判定し、前記モバイルデバイスが受信された位置のセットの中の位置の少なくとも１つの近隣にある間、位置固定点として動作するように構成される、少なくとも１つのプロセッサを備える。例示的なモバイルデバイスはさらに、前記少なくとも１つのプロセッサに結合されたメモリを備える。
【００１２】
上記の発明の概要で様々な実施形態について論じたが、必ずしも、すべての実施形態が同じ特徴を含むとは限らず、上述の特徴のいくつかは必須ではないが、いくつかの実施形態では望ましいことがあることを理解されたい。多数の追加の特徴、実施形態および様々な実施形態の利益が、以下の詳細な説明において論じられる。
【図面の簡単な説明】
【００１３】
【図１】例示的な実施形態による、例示的な通信システム、たとえば、ワイヤレス通信システムの図。
【図２】様々な例示的な実施形態による、モバイルデバイス、たとえば、一時的な位置固定点として動作する能力のあるモバイルワイヤレス端末を動作させる、例示的な方法を示すフローチャート。
【図３】例示的な実施形態による、例示的なモバイルデバイスの図。
【図４】図３の例示的なモバイルデバイス中で使用できるモジュールのアセンブリを示す図。
【図５】２つの一定の位置固定点によって検出され測定されたモバイルデバイスから受信された信号に基づいて、モバイルデバイスの場所が測定されるのを示す図。
【図６】モバイルデバイスが位置固定点として動作するように命令されるのを示す図。
【図７】位置固定点として動作しているデバイスが、モバイルデバイスからのピア発見信号を受信し測定しているのを示す図。
【図８】位置固定点として動作しているデバイスが、モバイルデバイスの位置を決定するネットワークノードへ、受信された信号の測定結果情報を伝えているのを示す図。
【図９】位置固定点として一時的に動作してきたモバイルデバイスが、位置固定点として動作したことに対する報奨を受けるのを示す図。
【図１０】位置固定点として動作してきたモバイルデバイスが、位置固定点として動作するのを停止するのを示す図。
【図１１】モバイルデバイスの場所が、位置固定点から受信されたブロードキャスト信号に基づいて、モバイルデバイスによって測定されるのを示す図。
【図１２】その場所を測定したモバイルデバイスが、測定された場所を、ネットワーク要素、たとえば位置追跡サーバノードへ伝えるのを示す図。
【図１３】モバイルデバイスが位置固定点として動作するように命令されるのを示す図。
【図１４】位置固定点が、モバイルデバイスによって検出された信号をブロードキャストするのを示す図。
【図１５】モバイルデバイスが、位置固定点からの受信されたブロードキャスト信号に基づいて場所を測定することと、測定されたモバイルデバイスの位置情報を、ネットワーク要素、たとえば位置追跡サーバノードへ伝えることとを示す図。
【図１６】位置固定点として一時的に動作してきたモバイルデバイスが、位置固定点として動作したことに対する報奨を受けるのを示す図。
【図１７】位置固定点として動作してきたモバイルデバイスが、位置固定点として動作するのを停止するのを示す図。
【図１８】様々な例示的な実施形態による、モバイルデバイス、たとえば、一時的な位置固定点として動作する能力のあるモバイルワイヤレス端末を動作させる、例示的な方法を示すフローチャート。
【図１９】例示的な実施形態による、例示的なモバイルデバイスの図。
【図２０】図１９の例示的なモバイルデバイス中で使用できるモジュールのアセンブリを示す図。
【発明を実施するための形態】
【００１４】
図１は、例示的な実施形態による、例示的な通信システム１００、たとえば、ワイヤレス通信システムの図である。例示的な通信システム１００は、位置固定点として役割を果たさない複数のアクセスポイント（アクセスポイント１  １０２、・・・、アクセスポイントＮ  １０４）、不変の位置固定点として役割を果たす複数のアクセスポイント（アクセスポイント１’  １０６、・・・、アクセスポイントＮ’  １０８）、および、バックホールネットワーク１１２を介して一緒に結合されるネットワーク要素１１０、たとえば位置追跡サーバノード１１０を含む。バックホールネットワークはまた、他のネットワーク要素および／またはインターネットに結合される。
【００１５】
例示的な通信システム１００はまた、一時的な位置固定点として役割を果たす能力のない複数のモバイルデバイス、たとえばモバイルワイヤレス端末を含む（モバイルデバイス１  １１４、モバイルデバイス２  １１６、・・・、モバイルデバイスＭ  １１８）。例示的な通信システム１００はまた、一時的な位置固定点として役割を果たすことができ実際に果たすことがある複数のモバイルデバイス、たとえばモバイルワイヤレス端末を含む（モバイルデバイス１’  １２０、モバイルデバイス２’  １２２、・・・、モバイルデバイスＭ’  １２４）。
【００１６】
図２は、例示的な実施形態による、モバイルデバイス、たとえば、モバイルワイヤレス端末を動作させる例示的な方法のフローチャート２００である。モバイルデバイスは、たとえば、一時的な位置固定点として役割を果たす能力のある、図１の通信システム１００のモバイルデバイス（モバイルデバイス１’、モバイルデバイス２’  １２２、・・・、モバイルデバイスＭ’  １２４）の１つである。モバイルデバイスは、既知の位置にある。モバイルデバイスの位置は、モバイルデバイスによって、または別の外部デバイス、たとえばアクセスポイントもしくは位置サーバノードによって、測定され得る。いくつかの実施形態では、モバイルデバイスは、受信された信号に基づいて、たとえばＲＦ予測マップに対して比較された受信された信号に基づいて、その位置を測定する。いくつかの実施形態では、モバイルデバイスは、既知の位置における１つまたは複数のデバイスからの受信された信号から、たとえば、複数の位置固定点から受信された参照信号から、その位置を測定する。いくつかの実施形態では、モバイルデバイスは、ユーザ入力に基づいてその位置を測定し、たとえば、ユーザは、モバイルデバイスが、特定の既知の位置、たとえばユーザの仕事場または特定の会議室に現在あることを特定する入力を、入力する。いくつかの実施形態では、ネットワーク要素、たとえば位置追跡サーバノードは、たとえば位置固定点によって、複数の位置において検出された、受信されたモバイルデバイス送信信号の転送された測定結果に基づいて、モバイルデバイスの位置を測定する。
【００１７】
ステップ２０２において、例示的な方法の動作が開始し、モバイルデバイスが電源投入され、初期化され、ステップ２０４に進む。ステップ２０４において、モバイルデバイスは、位置固定点として動作するようにモバイルデバイスに指示する命令を受信する。いくつかの実施形態では、命令は、モバイルデバイスが位置固定点として動作すべき時間の長さを示す、時間情報を含む。動作はステップ２０４からステップ２０６へ続行する。
【００１８】
ステップ２０６において、モバイルデバイスは、ステップ２０４で前記命令を受信したことに応答して、位置固定点として動作する。いくつかの実施形態では、モバイルデバイスは、位置固定点として動作することの一部として、ステップ２０８、２１０、および２１２の１つもしくは複数またはすべてを実行する。ステップ２０８において、モバイルデバイスは、ｉ）受信された信号強度を、信号の送信元のデバイスを特定する情報とともに、ネットワーク要素に報告することと、ｉｉ）位置情報を提供する信号をブロードキャストすることとの少なくとも１つを実行する。ステップ２１０において、モバイルデバイスは、モバイルデバイスの位置を示すピア発見信号をブロードキャストする。ステップ２１２において、モバイルデバイスは、モバイルデバイスが位置固定点として動作していることを示すピア発見信号を、ブロードキャストする。
【００１９】
動作はステップ２０６からステップ２１４へ続行する。ステップ２１４において、モバイルデバイスは、位置固定点として動作したことに対する報奨を受ける。様々な実施形態において、ステップ２１４は、ステップ２１６、２１８および２２０のうちの１つもしくは複数またはすべてを含む。ステップ２１６において、モバイルデバイスは、前記モバイルデバイスに与えられているＱｏＳレベルの向上の許可を示す情報を受信する。ステップ２１８において、モバイルデバイスは、以前は受ける資格のなかったサービスを受ける。ステップ２２０において、モバイルデバイスは、前記モバイルデバイスが使うサービスの料金に対する充当（ｃｒｅｄｉｔ）を前記モバイルデバイスに与える、課金充当を受け取る。
【００２０】
いくつかの実施形態では、モバイルデバイスは、ステップ２０４の受信された命令において示された時間の長さの間、モバイルデバイスが位置固定点として動作してきたと判定すると、位置固定点として動作するのを停止する。動作は、ステップ２１４からステップ２０４へ続行し、ステップ２０４において、モバイルデバイスは、位置固定点として動作するための命令を再び受信することができる。
【００２１】
図３は、例示的な実施形態による、例示的なモバイルデバイス、たとえば、モバイルワイヤレス端末の図である。例示的なモバイルデバイス３００は、たとえば、図１のシステム１００の一時的な位置固定点（１２０、１２２、・・・、１２４’）として役割を果たす能力のある、モバイルデバイスの１つである。例示的なモバイルデバイス３００は、図２のフローチャート２００に従って、方法を実施することができ、実際に実施することがある。
【００２２】
モバイルデバイス３００は、バス３０９を介して一緒に結合されたプロセッサ３０２とメモリ３０４とを含み、そのバス３０９を介して、様々な要素（３０２、３０４）がデータと情報とを交換し得る。  モバイルデバイス３００は、さらに、図示のようにプロセッサ３０２に結合され得る入力モジュール３０６と出力モジュール３０８とを含む。しかし、いくつかの実施形態では、入力モジュール３０６と出力モジュール３０８は、プロセッサ３０２の内部に配置される。入力モジュール３０６は、入力信号を受信することができる。入力モジュール３０６は、入力を受信するためのワイヤレス受信機および／または有線インターフェースもしくは光入力インターフェースを含んでよく、いくつかの実施形態では、それらを含む。出力モジュール３０８は、出力を送信するためのワイヤレス送信機および／または有線インターフェースもしくは光出力インターフェースを含んでよく、いくつかの実施形態では、それらを含む。
【００２３】
プロセッサ３０２は、位置固定点として動作するようにモバイルデバイスに指示する命令を受信し、前記命令を受信したことに応答して、位置固定点として動作するように前記モバイルデバイスを制御するように構成される。いくつかの実施形態では、受信される命令は、モバイルデバイスが位置固定点として動作すべき時間の長さを示す、時間情報を含む。
【００２４】
いくつかの実施形態では、プロセッサ３０２は、位置固定点として動作するように前記モバイルデバイスを制御するように構成されることの一部として、ｉ）受信された信号強度とともに、信号の送信元のデバイスを特定する情報を、ネットワーク要素に報告することと、ｉｉ）位置情報を提供する信号をブロードキャストすることとのうちの、少なくとも１つを実行するように構成される。いくつかの実施形態では、プロセッサ３０２は、位置固定点として動作するように前記モバイルデバイスを制御するように構成されることの一部として、モバイルデバイスの位置を示すピア発見信号をブロードキャストするように構成される。様々な実施形態において、プロセッサ３０２は、位置固定点として動作するように前記モバイルデバイスを制御するように構成されることの一部として、モバイルデバイスが位置固定点として動作していることを示すピア発見信号をブロードキャストするように構成される。
【００２５】
いくつかの実施形態では、プロセッサ３０２はさらに、位置固定点として動作したことに対する報奨を受けるように構成される。いくつかのそのような実施形態では、プロセッサ３０２は、位置固定点として動作したことに対する補償を受けるように構成されることの一部として、前記モバイルデバイスに与えられるＱｏＳレベルの向上の許可を示す情報を受信するように構成される。いくつかの実施形態では、プロセッサ３０２は、位置固定点として動作したことに対する補償を受けるように構成されることの一部として、モバイルデバイスが以前は受ける資格のなかったサービスを受けるように構成される。様々な実施形態において、プロセッサ３０２は、位置固定点として動作したことに対する補償を受けるように構成されることの一部として、前記モバイルデバイスが使うサービスの料金に対する充当を前記モバイルデバイスに与える、課金充当を受け取るように構成される。
【００２６】
図４は、図３に示されるモバイルデバイス３００中で使用することができ、いくつかの実施形態では実際に使用される、モジュールのアセンブリ４００である。アセンブリ４００中のモジュールは、たとえば、個別回路として、図３のプロセッサ３０２内でハードウェアとして実装されてよい。代替的に、それらのモジュールは、ソフトウェアとして実装され、図３に示したモバイルデバイス３００のメモリ３０４に記憶されてよい。図３の実施形態では、単一のプロセッサ、たとえば、コンピュータとして示されているが、プロセッサ３０２は、１つまたは複数のプロセッサ、たとえば、コンピュータとして実装され得ることを理解されたい。ソフトウェアで実装されるとき、それらのモジュールはコードを含み、そのコードは、プロセッサによって実行されると、そのモジュールに対応する機能を実装するように、プロセッサ３０２、たとえばコンピュータを構成する。いくつかの実施形態では、プロセッサ３０２は、モジュールのアセンブリ４００のモジュールの各々を実装するように構成される。モジュールのアセンブリ４００がメモリ３０４に記憶される実施形態では、メモリ３０４は、コンピュータ可読媒体、たとえば非一時的コンピュータ可読媒体を備えるコンピュータプログラム製品であり、コンピュータ可読媒体は、少なくとも１つのコンピュータ、たとえば、プロセッサ３０２に、モジュールが対応する機能を実装させるためのコード、たとえば、モジュールごとの個別コードを備える。
【００２７】
完全にハードウェアベースのまたは完全にソフトウェアベースのモジュールが、使用されてよい。しかし、機能を実装するために、（たとえば、回路実装型の）ソフトウェアモジュールとハードウェアモジュールの任意の組合せが使用され得ることを理解されたい。図４に示すモジュールは、図２のフローチャート２００の方法において図示および／または説明される対応するステップの機能を実行するように、モバイルデバイス３００、またはプロセッサ３０２のようなそのデバイス３００中の要素を、制御および／または構成することを理解されたい。
【００２８】
モジュールのアセンブリ４００は、位置固定点として動作するようにモバイルデバイスに指示する命令を受信するためのモジュール４０４と、前記命令を受信したことに応答して、位置固定点として動作するためのモジュール４０６と、位置固定点として動作したことに対する報奨を受けるためのモジュール４１４とを含む。いくつかの実施形態では、命令は、モバイルデバイスが位置固定点として動作すべき時間の長さを示す、時間情報を含む。
【００２９】
いくつかの実施形態では、モジュール４０６は、ｉ）受信された信号強度を、信号の送信元のデバイスを特定する情報とともに、ネットワーク要素に報告することと、ｉｉ）位置情報を提供する信号をブロードキャストすることとの少なくとも１つを実行するためのモジュール４０８と、モバイルデバイスの位置を示すピア発見信号をブロードキャストするためのモジュール４１０と、モバイルデバイスが位置固定点として動作していることを示すピア発見信号をブロードキャストするためのモジュール４１２とのうちの、１つもしくは複数またはすべてを含む。様々な実施形態において、モジュール４１４は、前記モバイルデバイスに与えられるＱｏＳレベルの向上の許可を示す情報を受信するためのモジュール４１６と、モバイルデバイスが以前は受ける資格のなかったサービスを受けるためのモジュール４１８と、前記モバイルデバイスが使うサービスに対する充当を前記モバイルデバイスに与える、課金充当を受け取るためのモジュール４２０とのうちの、１つもしくは複数またはすべてを含む。
【００３０】
いくつかの実施形態では、モジュールのアセンブリ４００は、モバイルデバイスの位置を測定するためのモジュール４５２と、モバイルデバイスの位置を伝える情報を受信するためのモジュール４５４とのうちの、１つまたは複数を含む。様々な実施形態において、モジュールのアセンブリ４００は、モバイルデバイスが位置固定点として動作してきた時間の長さを測るためのモジュール４５６と、位置固定点として動作するようにモバイルデバイスに指示する受信された命令において示された時間の長さの間、モバイルデバイスが位置固定点として動作してきたと判定するためのモジュール４５８と、たとえば、受信された命令で示された時間の長さの間、モバイルデバイスが位置固定点として動作してきたとモジュール４５８が判定すると、位置固定点として動作するのを停止するようにモバイルデバイスを制御するためのモジュール４６０とのうちの、１つもしくは複数またはすべてを含む。
【００３１】
図５〜図１１は、既知の位置にあるモバイルデバイスが、一時的な位置固定点として動作するように命令され、そのように動作する、ある例を示す。図５の図面５００において、一時的な位置固定点として動作する能力のあるモバイルデバイス１’  ２１２０が、ピア発見信号ＰＤ１’  ５０２を送信する。アクセスポイント１’  ２１０６およびアクセスポイントＮ’  ２１０８は、バックホールネットワーク２１１２を介して、ネットワーク要素２１１０に結合される。アクセスポイント１’  ２１０６およびアクセスポイントＮ’  ２１０８は、不変の位置固定点として動作している。ネットワーク要素２１１０は、たとえば、モバイルデバイスの位置を追跡する位置追跡サーバノードである。モバイルデバイス１’  ２１２０はたとえば、図１のシステム１００のモバイルデバイス１’  １２０であり、アクセスポイント１’  ２１０６はたとえば、図１のシステム１００のアクセスポイント１’  １０６であり、アクセスポイントＮ’  ２１０８はたとえば、図１のシステム１００のアクセスポイントＮ’  １０８であり、ネットワーク要素２１１０はたとえば、図１のシステム１００のネットワーク要素１１０であり、バックホールネットワーク２１１２はたとえば、図１のシステム１００のバックホールネットワーク１１２である。
【００３２】
アクセスポイント１’  ２１０６は、信号ＰＤ１’  ５０２を受信し、ボックス５０４によって示されるように、受信された信号強度を測定する。アクセスポイント１’  ２１０６は、測定を実行したデバイスを特定する情報ＩＤ  ＡＰ１’  ５０９と、測定された信号を送信したデバイスを特定する情報ＩＤ  ＭＤ１’  ５１０と、受信された信号強度の測定結果を報告する強度１’  ５１２とを伝える、信号５０８を生成し、ネットワーク要素２１１０へ送信する。アクセスポイントＮ’  ２１０８は、信号ＰＤ１’  ５０２を受信し、ボックス５０６によって示されるように、受信された信号強度を測定する。アクセスポイントＮ’  ２１０８は、測定を実行したデバイスを特定する情報ＩＤ  ＡＰＮ’  ５１１と、測定された信号を送信したデバイスを特定する情報ＩＤ  ＭＤ１’  ５１０と、受信された信号強度の測定結果を報告する強度１’  ５１８とを伝える、信号５１４を生成し、ネットワーク要素２１１０へ送信する。ネットワーク要素２１１０は、信号５０８および５１４を受信する。ネットワーク要素２１１０は、信号５０８および５１４で伝えられた情報を使って、モバイルデバイス１’  ２１２０の位置を測定する。ネットワーク要素２１１０は、ボックス５２０によって示されるように、モバイルデバイス１  ２１２０の位置を記憶する。
【００３３】
図６の図面６００では、ネットワーク要素２１１０は、ボックス６０２によって示されるように、一時的な位置固定点としてモバイルデバイス１’  ２１２０を使うと決定する。ネットワーク要素２１１０は、一時的な位置固定点の指示命令信号６０４を生成し送信する。一時的な位置固定点の指示は、モバイルデバイス１’  ２１２０に、位置固定点として動作するように指示する。一時的な位置固定点の指示命令６０４は、位置固定点として動作するようにデバイスが命令されたものとして、モバイルデバイス１’を特定する情報５１０と、時間情報６０８、たとえば、モバイルデバイス１’が位置固定点として動作すべき時間の長さを示す情報とを含む。信号６０４は、バックホールネットワーク２１１２を介して、ネットワーク要素２１１０からアクセスポイント１’  ２１０６に伝えられる。アクセスポイント１’  ２１０６は、一時的な位置固定点の指示命令信号６１０を、無線でモバイルデバイス１’  ２１２０に送信する。一時的な位置固定点の指示命令６１０は、情報５１０、６０８を含む。モバイルデバイス１’  ２１２０は、一時的な位置固定点の指示命令６１０を受信し、位置固定点として動作するように遷移する。
【００３４】
図７の図面７００において、モバイルデバイス１’  ２１２０は、受信された命令６１０に応答して、一時的な位置固定点として動作している。モバイルデバイス２’  ２１２２は、そのピア発見信号ＰＤ２’  ７０８を送信している。モバイルデバイスＭ  ２１１８は、そのピア発見信号ＰＤＭ  ７０２を送信している。モバイルデバイス２’  ２１２２はたとえば、図１のシステム１００のモバイルデバイス２’  １２２であり、モバイルデバイスＭ  ２１１８はたとえば、図１のシステム１００のモバイルデバイスＭ  １１８である。
【００３５】
今は位置固定点として役割を果たしているモバイルデバイス１’  ２１２０は、信号ＰＤＭ  ７０２を受信し、ブロック７０６によって示されるように、受信された信号強度を測定する。今は位置点として役割を果たしているモバイルデバイス１’  ２１２０は、信号ＰＤ２’  ７０８も受信し、ブロック７１２によって示されるように、受信された信号強度を測定する。不変の位置固定点であるアクセスポイント１’  ２１０６は、信号ＰＤＭ  ７０２を受信し、ブロック７０４によって示されるように、受信された信号強度を測定する。不変の位置固定点であるアクセスポイント１’  ２１０６は、信号ＰＤ２’  ７０８を受信し、ブロック７１０によって示されるように、受信された信号強度を測定する。
【００３６】
図８の図面８００において、アクセスポイント１’  ２１０６は、受信された信号強度の測定結果と、測定された信号を送信したモバイルデバイスを特定する情報と、信号を測定したデバイスを特定する情報とを伝える信号８０２を生成して、バックホールネットワーク２１１２を通じてネットワーク要素２１１０へ送信する。信号８０２は、測定デバイスとしてＡＰ１’を特定する情報５０９と、測定された信号を送信したデバイスとしてモバイルデバイスＭを特定する情報８０４と、アクセスポイント１’  ２１０６によって測定されたような、信号ＰＤＭ  ７０２の受信された信号強度を伝える対応する情報８０６とを含む。信号８０２はまた、測定デバイスとしてＡＰ１’を特定する情報５０９と、測定された信号を送信したデバイスとしてモバイルデバイス２’を特定する情報８０８と、アクセスポイント１’  ２１０６によって測定されたような、信号ＰＤ２’  ７０８の受信された信号強度を伝える対応する情報８１０とを含む。
【００３７】
図８の図面８００において、モバイルデバイス１’  ２１２０は、受信された信号強度の測定結果と、測定された信号を送信したモバイルデバイスを特定する情報と、信号を測定したデバイスを特定する情報とを伝える信号８１２を生成して、無線でアクセスポイント１’  ２１０６へ送信する。信号８１２は、測定を実行したデバイスとしてモバイルデバイス１’を特定する情報５１０と、測定された信号を送信したデバイスとしてモバイルデバイスＭを特定する情報８０４と、モバイルデバイス１’  ２１２０によって測定されたような、信号ＰＤＭ  ７０２の受信された信号強度を伝える対応する情報８１６とを含む。信号８１２はまた、測定を実行したデバイスとしてモバイルデバイス１’を特定する情報５１０と、測定された信号を送信したデバイスとしてモバイルデバイス２’を特定する情報８０８と、モバイルデバイス１’  ２１２０によって測定されたような、信号ＰＤ２’  ７０８の受信された信号強度を伝える対応する情報８２０とを含む。アクセスポイント１’  ２１０６は、信号８１６を受信し、バックホールネットワーク２１１２を介してネットワーク要素２１１０に情報（（５１０、８０４、８１６）、（５１０、８０８、８２０））を伝える信号８２２を生成する。
【００３８】
ネットワーク要素２１１０は、信号８０２および８２２を受信し、信号８０２および８２２で伝えられる情報を使って、モバイルデバイスＭ  ２１１８の位置とモバイルデバイス２’  ２１２２の位置とを測定する。ネットワーク要素２１１０は、ボックス８３２によって示されるように、モバイルデバイスＭおよびモバイルデバイス２’の測定された位置を記憶する。
【００３９】
図９の図面９００では、位置固定点として動作したことに対してモバイルデバイス１’  ２１２０が受けるべき報奨を特定する、報奨情報９０４を伝える信号９０２を、ネットワーク要素２１１０が生成する。信号９０２は、ネットワーク要素２１１０からアクセスポイント１’  ２１０６へ、バックホールネットワーク２１１２を介して伝えられる。アクセスポイント１’  ２１０６は、報奨情報９０４を伝える信号９０６を生成し、アクセスポイント１’  ２１０６は、信号９０６を無線でモバイルデバイス１’  ２１２０に送信する。モバイルデバイス１’  ２１２０は、信号９０６を受信し、位置固定点として動作したことに対する報奨を受ける。いくつかの実施形態では、モバイルデバイス１’  ２１２０は、位置固定点として動作したことに対する報奨として、モバイルデバイス１’  ２１２０へ与えられるＱｏＳレベルの向上の許可を示す情報を受信する。いくつかの実施形態では、モバイルデバイス１’  ２１２０は、位置固定点として動作したことに対する報奨として、以前は受ける資格のなかったサービスを受ける。いくつかの実施形態では、モバイルデバイス１’  ２１２０は、モバイルデバイス１’  ２１２０が使うサービスの料金に対する充当をモバイルデバイス１’  ２１２０に与える、課金充当を受け取る。
【００４０】
図１０の図面１０００において、モバイルデバイス１’  ２１２０は、図６の一時的な位置固定点の指示命令信号６１０で伝えられる時間情報６０８に基づいて、位置固定点としてもはやモバイルデバイス１’  ２１２０が動作できないと判定している。モバイルデバイス（デバイス１’  ２１２０、デバイス２’  ２１２２、デバイスＭ  ２１１８）は、それぞれ、そのピア発見信号（ＰＤ１’  ５０２、ＰＤ２’  ７０８、ＰＤＭ  ７０２）を送信する。
【００４１】
図１１〜図１７は、既知の位置にあるモバイルデバイスが、一時的な位置固定点として動作するように命令され、そのように動作する、ある例を示す。図１１の図面１１００は、バックホールネットワーク３１１２を介して一緒に結合される、アクセスポイント１’  ３１０６と、アクセスポイントＮ’  ３１０８と、ネットワーク要素３１１０とを含む。アクセスポイント１’  ３１０６およびアクセスポイントＮ’  ３１０８は、不変の位置固定点として動作する。ネットワーク要素３１１０は、たとえば、モバイルデバイスの位置を追跡する位置追跡サーバノードである。図面１１００はまた、一時的な位置固定点として動作する能力のあるモバイルデバイス１’  ３１２０を含む。モバイルデバイス１’  ３１２０はたとえば、図１のシステム１００のモバイルデバイス１’  １２０であり、アクセスポイント１’  ３１０６はたとえば、図１のシステム１００のアクセスポイント１’  １０６であり、アクセスポイントＮ’  ３１０８はたとえば、図１のシステム１００のアクセスポイントＮ’  １０８であり、ネットワーク要素３１１０はたとえば、図１のシステム１００のネットワーク要素１１０であり、バックホールネットワーク３１１２はたとえば、図１のシステム１００のバックホールネットワーク１１２である。
【００４２】
アクセスポイント１’  ３１０６は、アクセスポイント１’ブロードキャスト信号１１０２を送信する。モバイルデバイス１’  ３１２０は、信号１１０２を受信し、受信された信号強度を測定する。アクセスポイントＮ’  ３１０８は、アクセスポイントＮ’ブロードキャスト信号１１０４を送信する。モバイルデバイス１’  ３１２０は、信号１１０２を受信し、受信された信号強度を測定する。モバイルデバイス３１２０は、ボックス１１０６によって示されるように、受信された信号に基づいてその位置を測定する。
【００４３】
図１２の図面１２００では、モバイルデバイス１’  ３１２０は、モバイルデバイス１’の位置１２０４をアクセスポイント１’  ３１０６に伝える信号１２０２を生成し、無線で送信する。アクセスポイント１’  ３１０６は、信号１２０２を受信し、モバイルデバイス１’の位置１２０４を伝える信号１２０６を生成する。アクセスポイント１’  ３１０６は、バックホールネットワーク３１１２を介して、ネットワーク要素３１１０に信号１２０６を送信する。ネットワーク要素３１１０は、信号１２０６を受信し、ブロック１２１０によって示されるように、モバイルデバイス１’の位置情報を記憶する。
【００４４】
図１３の図面１３００では、ネットワーク要素３１１０は、ブロック１３０２によって示されるように、一時的な位置固定点としてモバイルデバイス１’  ３１２０を使うと決定する。ネットワーク要素３１１０は、一時的な位置固定点の指示命令信号１３０４を生成し、バックホールネットワーク３１１２を介して、アクセスポイント１’  １３０６に信号１３０４を送信する。一時的な位置固定点の指示命令信号１３０４は、位置固定点として動作するように命令されているデバイスとして、モバイルデバイス１’を特定する情報１３０６と、時間情報１３０８、たとえば、モバイルデバイス１’が位置固定点として動作すべき時間の長さを示す情報とを含む。信号１３０４は、アクセスポイント１’  １３０６によって受信され、アクセスポイント１’  １３０６は、一時的な位置固定点の指示命令信号１３１０を生成する。一時的な位置固定点の指示命令信号１３１０は、情報１３０６および１３０８を含む。アクセスポイント１’  ３１０６は、一時的な位置固定点の命令信号１３１０を、無線でモバイルデバイス１’  ３１２０に送信する。モバイルデバイス１’  ３１２０は、一時的な位置固定点の命令信号１３１０を受信し、位置固定点として動作するように遷移する。
【００４５】
図１４の図面１４００において、モバイルデバイス１’  ３１２０は、命令１３１０を受信したことに応答して、位置固定点として動作している。モバイルデバイス１’  ３１２０は、モバイルデバイス１’の位置情報１４０４を含むピア発見ブロードキャスト信号１４０２をブロードキャストする。モバイルデバイス１’  ３１２０はまた、モバイルデバイス１’が位置固定点として動作していることを示す情報１４０８を含む、ピア発見ブロードキャスト信号１４０６をブロードキャストする。いくつかの実施形態では、情報１４０４および情報１４０８は、同じブロードキャスト信号に含まれる。アクセスポイント１’  ３１０６は、アクセスポイント１’ブロードキャスト信号１１０２を送信している。様々な実施形態において、アクセスポイント１’は、位置がモバイルデバイスに知られている不変の位置固定点であるので、ＡＰ１’ブロードキャスト信号１１０２は、位置情報を含まない。
【００４６】
モバイルデバイスＭ  ３１１８およびモバイルデバイス２’  ３１２２は、モバイルデバイス１’  ３１２０およびアクセスポイント１’  ３１０６の近傍にある。モバイルデバイスＭ  ３１１８およびモバイルデバイス２’は、信号１４０２および１４０６を受信し、モバイルデバイス１’が位置固定点として現在動作していることを認識する。モバイルデバイスＭ  ３１１８およびモバイルデバイス２’  ３１２２はまた、アクセスポイント１’ブロードキャスト信号１１０２を受信する。モバイルデバイスＭ  ３１１８は、受信された信号（１４０２、１４０６、１１０２）の信号強度を測定する。モバイルデバイス２’  ３１２２は、受信された信号（１４０２、１４０６、１１０２）の信号強度を測定する。
【００４７】
図１５の図面１５００において、モバイルデバイスＭ  ３１１８は、ブロック１５０２によって示されるように、受信された信号強度の測定結果に基づいて、その位置を測定する。モバイルデバイスＭ  ３１１８は、モバイルデバイスＭの位置情報１５０６を含む信号１５０４を生成する。モバイルデバイスＭ  ３１１８は、信号１５０４を、無線でアクセスポイント１’  ３１０６へ送信する。アクセスポイント１’  ３１０６は、モバイルデバイスＭの位置情報１５０６を含む信号１５１４を生成し、バックホール３１１２を通じてネットワーク要素３１１０へ送信する。
【００４８】
モバイルデバイス２’  ３１２２は、ブロック１５０８によって示されるように、受信された信号強度の測定結果に基づいて、その位置を測定する。モバイルデバイス２’  ３１２２は、モバイルデバイス２’の位置情報１５１２を含む信号１５１０を生成する。モバイルデバイス２’  ３１２２は、信号１５１０を、無線でアクセスポイント１’  ３１０６へ送信する。アクセスポイント１’  ３１０６は、モバイルデバイス２’の位置情報１５１２を含む信号１５１８を生成し、バックホール３１１２を通じてネットワーク要素３１１０へ送信する。いくつかの実施形態では、アクセスポイント１’は、モバイルデバイスＭの位置情報１５０６とモバイルデバイス２’の位置情報１５１２とを、共通のメッセージの中でネットワーク要素３１１０へ送信する。ネットワーク要素は、信号１５１４と１５１８とを受信し、ブロック１５２２によって示されるように、モバイルデバイス２’およびモバイルデバイスＭの位置を記憶する。
【００４９】
図１６の図面１６００では、位置固定点として動作したことに対してモバイルデバイス１’  ３１２０が受けるべき報奨を特定する、報奨情報１６０４を伝える信号１６０２を、ネットワーク要素３１１０が生成し送信する。信号１６０２は、ネットワーク要素３１１０からアクセスポイント１’  ３１０６へ、バックホールネットワーク３１１２を介して伝えられる。アクセスポイント１’  ３１０６は、報奨情報１６０４を伝える信号１６０６を生成し、アクセスポイント１’  ３１０６は、信号１６０６を無線でモバイルデバイス１’  ３１２０に送信する。モバイルデバイス１’  ３１２０は、信号１６０６を受信し、位置固定点として動作したことに対する報奨を受ける。いくつかの実施形態では、モバイルデバイス１’  ３１２０は、位置固定点として動作したことに対する報奨として、モバイルデバイス１’  ３１２０へ与えられるＱｏＳレベルの向上の許可を示す情報を受信する。いくつかの実施形態では、モバイルデバイス１’  ３１２０は、位置固定点として動作したことに対する報奨として、以前は受ける資格のなかったサービスを受ける。いくつかの実施形態では、モバイルデバイス１’  ３１２０は、モバイルデバイス１’  ３１２０が使うサービスの料金に対する充当をモバイルデバイス１’  ３１２０に与える、課金充当を受け取る。
【００５０】
図１７の図面１７００において、モバイルデバイス１’  ３１２０は、図１３の一時的な位置固定点の指示命令信号１３１０で伝えられる時間情報１３０８に基づいて、位置固定点としてもはやモバイルデバイス１’３１２０が動作できないと判定している。モバイルデバイス１’  ３１２０は、ブロードキャスト信号１４０２、１４０６の送信を停止する。不変の位置固定点であるアクセスポイント１’  ３１０６およびアクセスポイントＮ’  ３１０８は、それぞれ、そのブロードキャスト信号（１１０２、１１０４）のブロードキャストを続ける。
【００５１】
図１１〜図１７の例では、モバイルデバイスは、不変の位置固定点と一時的な位置固定点を含み得る複数の位置固定点から受信されたブロードキャスト信号に基づいて、その位置を測定する。いくつかの実施形態では、モバイルデバイスは、不変の位置固定点および／または一時的な位置固定点から受信されたブロードキャスト信号の信号測定を実行し、測定結果情報を、モバイルデバイスの場所を測定する別のノードに伝える。たとえば、いくつかの実施形態では、測定結果の情報は、モバイルノードデバイスの場所を測定するネットワーク要素、たとえば位置追跡サーバノードに転送される。
【００５２】
図１８は、例示的な実施形態による、モバイルデバイス、たとえば、モバイルワイヤレス端末を動作させる例示的な方法のフローチャート１８００である。モバイルデバイスは、たとえば、一時的な位置固定点として役割を果たす能力のある、図１の通信システム１００のモバイルデバイス（モバイルデバイス１’  １２０、モバイルデバイス２’  １２２、・・・モバイルデバイスＭ’  １２４）の１つである。
【００５３】
ステップ１８０２において、例示的な方法の動作が開始し、モバイルデバイスが電源投入され、初期化され、ステップ１８０４へ続行する。ステップ１８０４において、モバイルデバイスは、モバイルデバイスが位置固定点として動作できる位置のセットを受信する。いくつかの実施形態では、モバイルが固定点として動作できる前記受信される位置のセットは、ある要求の中で受信される。いくつかの実施形態では、その要求は、位置測定サーバからの要求である。いくつかのそのような実施形態では、その要求は、アクセスポイントを介して、位置測定サーバからモバイルノードに伝えられる。
【００５４】
いくつかの実施形態では、その要求は、ブロードキャスト信号で伝えられる。いくつかの他の実施形態では、その要求は、モバイルデバイスへ特別に宛てられた信号、たとえば、モバイルデバイスと関連付けられる識別子を含む信号の中で、伝えられる。いくつかの実施形態では、受信される要求は、モバイルデバイスが位置固定点として動作するように要求されている時間の長さを示す時間情報を含む。いくつかの実施形態では、その要求は、モバイルデバイスが位置固定点として動作するように要求されている時間の範囲または時間窓を示す情報を含む。様々な実施形態において、モバイルデバイスが位置固定点として動作できる受信される位置のセットは、ある命令の中で受信される。動作はステップ１８０４からステップ１８０６へ続行する。
【００５５】
ステップ１８０６において、モバイルデバイスは、モバイルデバイスの現在の位置を測定する。動作はステップ１８０６からステップ１８０８へ続行する。ステップ１８０８において、モバイルデバイスは、モバイルデバイスの現在の位置が、受信された位置のセットの中の位置の少なくとも１つの近隣であるかどうかを判定する。いくつかの実施形態では、前記近隣は、位置の前記少なくとも１つを含むある地理的な領域である。様々な実施形態において、その近隣は、前記少なくとも１つの位置の周りに所定の距離を有するように広がる領域である。動作はステップ１８０８からステップ１８１０へ続行する。
【００５６】
モバイルデバイスの現在の位置が、受信された位置のセットの中の位置の少なくとも１つの近隣ではないと、ステップ１８０８で判定された場合、ステップ１８１０において、動作はステップ１８１０からステップ１８０６へ続行し、ステップ１８０６において、モバイルデバイスは現在の位置を測定する。しかし、モバイルデバイスの現在の位置が、受信された位置のセットの中の位置の少なくとも１つの近隣であると、ステップ１８０８で判定された場合、ステップ１８１０において、動作はステップ１８１０からステップ１８１２へ続行する。
【００５７】
ステップ１８１２において、モバイルデバイスが、前記受信された位置のセットの中の位置の少なくとも１つの近隣にある間、前記モバイルデバイスは位置固定点として動作する。いくつかの実施形態では、モバイルデバイスは、位置固定点として動作することの一部として、ステップ１８１４、１８１６、および１８１８の１つもしくは複数またはすべてを実行する。ステップ１８１４において、モバイルデバイスは、ｉ）受信された信号強度を、信号の送信元のデバイスを特定する情報とともに、ネットワーク要素に報告することと、ｉｉ）位置情報を提供する信号をブロードキャストすることとのうちの少なくとも１つを実行する。ステップ１８１６において、モバイルデバイスは、モバイルデバイスの位置を示すピア発見信号をブロードキャストする。ステップ１８１８において、モバイルデバイスは、モバイルデバイスが位置固定点として動作していることを示すピア発見信号をブロードキャストする。
【００５８】
動作はステップ１８１２からステップ１８２０へ続行する。ステップ１８２０において、モバイルデバイスは、モバイルデバイスの現在の位置が、近隣の外側の位置に変わったと判定する。動作はステップ１８２０からステップ１８２２へ続行する。ステップ１８２２において、モバイルデバイスは、たとえば、モバイルデバイスの現在の位置が近隣の外側の位置に変わったと判定したことに応答して、位置固定点として動作するのを停止する。いくつかの実施形態では、モバイルデバイスは、位置固定点として動作するための受信された要求において示された時間の長さの間、モバイルデバイスが位置固定点として動作してきたと判定すると、位置固定点として動作するのを停止する。いくつかの実施形態では、モバイルデバイスは、要求において伝えられた、位置固定点として動作する時間の終点に達した時に、位置固定点として動作するのを停止する。動作はステップ１８２２からステップ１８２４へ続行する。
【００５９】
ステップ１８２４において、モバイルデバイスは、前記モバイルデバイスが位置固定点として動作してきたことを、ネットワークデバイスに報告する。いくつかのそのような実施形態では、モバイルデバイスは、モバイルデバイスが位置固定点として動作してきた時間の長さも報告する。動作はステップ１８２４からステップ１８２６へ続行する。
【００６０】
ステップ１８２６において、モバイルデバイスは、位置固定点として動作したことに対する報奨を受ける。様々な実施形態において、ステップ１８２６は、ステップ１８２８、１８３０および１８３２のうちの１つもしくは複数またはすべてを含む。ステップ１８２８において、モバイルデバイスは、前記モバイルデバイスに与えられているＱｏＳレベルの向上の許可を示す情報を受信する。ステップ１８３０において、モバイルデバイスは、以前は受ける資格のなかったサービスを受ける。ステップ１８３２において、モバイルデバイスは、前記モバイルデバイスが使うサービスの料金に対する充当を前記モバイルデバイスに与える課金充当を受け取る。
【００６１】
動作は、ステップ１８２６からステップ１８０４へ続行し、ステップ１８０４において、モバイルデバイスは、モバイルデバイスが位置固定点として動作できる位置のセットを再び受信する。
【００６２】
ステップ１８２０および１８２４は、任意選択のステップである。任意選択のステップ１８２０および１８２４の１つまたは複数が、一部の実施形態に含まれる。図１８のフローチャートは、任意選択のステップ１８２０および１８２４が実行される場合について説明されている。任意選択のステップが省略される場合、省略されたステップは、動作フローにおいて迂回される。
【００６３】
いくつかの実施形態では、ステップ１８２０の代わりに、位置固定点として動作するように要求された時間の長さの間、モバイルデバイスが動作してきたと、モバイルデバイスは判定する。いくつかのそのような実施形態では、ステップ１８２２において、モバイルデバイスは、位置固定点として動作するように要求された時間の長さの間、モバイルデバイスが動作してきたと判定したことに応答して、位置固定点として動作するのを停止する。
【００６４】
いくつかの実施形態では、ステップ１８２０の代わりに、時間の終点、たとえば、モバイルデバイスが位置固定点として動作するのを停止すべきである、要求において伝えられた時間の終点に、現在の時刻が達したと、モバイルデバイスは判定する。いくつかのそのような実施形態では、ステップ１８２２において、モバイルデバイスは、モバイルデバイスが位置固定点として動作すべきであると要求された時間の終点に、現在の時刻が達したと判定したことに応答して、位置固定点として動作するのを停止する。
【００６５】
いくつかの実施形態では、モバイルデバイスは、電池の残量を監視する。いくつかのそのような実施形態では、モバイルデバイスは、電池の残量が所定のレベルを下回ると、位置固定点として動作するのを停止する。
【００６６】
様々な実施形態において、フローチャートの異なる反復の回では、位置固定点として動作するのを停止するのに、異なる理由を用いることができる。たとえば、ある反復の回では、モバイルデバイスが位置固定点として動作するように要求された、受信された位置の近隣の外側に、モバイルデバイスが移動したことによるものであってよく、別の反復の回では、要求された位置固定点の動作の時間の長さが満たされたことによるものであってよく、別の反復の回では、規定された位置固定点の時間の終点に達したことによるものであってよく、別の反復の回では、監視されている電池の電力レベルが所定の制限値を下回ったことによるものであってよく、さらに別の反復の回では、たとえば、近傍に移動してきた関心のあるピアデバイスの検出のようなトリガイベントに応答して、モバイルデバイスが、他のデバイスとより多くの通信に参加するのを望むこと、たとえば、モバイルデバイスがピアツーピア通信に対してより多くの時間および／もしくはリソースを費やすのを望むことによるものであってよい。
【００６７】
いくつかの実施形態では、モバイルノードは、位置固定点として動作するのをいつ開始していつ停止するかを、たとえば位置測定サーバに報告する。いくつかの実施形態では、モバイルノードが位置固定点として動作している時間を、モバイルノードがネットワークノードに直接報告することなく、ネットワークノード、たとえば位置測定サーバが追跡する。たとえば、他のデバイスは、モバイルノードが一時的な位置固定点として動作していることを感知し、その情報を、ネットワークノード、たとえば位置測定サーバに報告することができる。
【００６８】
図１９は、例示的な実施形態による、例示的なモバイルデバイス、たとえば、モバイルワイヤレス端末の図である。例示的なモバイルデバイス１９００は、たとえば、図１のシステム１００の一時的な位置固定点（１２０、１２２、・・・１２４’）として役割を果たす能力のあるモバイルデバイスの１つである。例示的なモバイルデバイス１９００は、図１８のフローチャート１８００に従って、方法を実施することができ、実際に実施することがある。
【００６９】
モバイルデバイス１９００は、バス１９０９を介して一緒に結合されたプロセッサ１９０２とメモリ１９０４とを含み、そのバス１９０９を介して、様々な要素（１９０２、１９０４）がデータと情報とを交換し得る。モバイルデバイス１９００は、さらに、図示のようにプロセッサ１９０２に結合され得る入力モジュール１９０６と出力モジュール１９０８とを含む。しかし、いくつかの実施形態では、入力モジュール１９０６と出力モジュール１９０８とは、プロセッサ１９０２の内部に配置される。入力モジュール１９０６は、入力信号を受信することができる。入力モジュール１９０６は、入力を受信するためのワイヤレス受信機および／または有線インターフェースもしくは光入力インターフェースを含んでよく、いくつかの実施形態では、それらを含む。出力モジュール１９０８は、出力を送信するためのワイヤレス送信機および／または有線インターフェースもしくは光出力インターフェースを含んでよく、いくつかの実施形態では、それらを含む。
【００７０】
プロセッサ１９０２は、モバイルデバイスが位置固定点として動作できる位置のセットを受信し、現在の位置を測定し、モバイルデバイスの前記現在の位置が、受信された位置のセットの中の位置の少なくとも１つの近隣にあるかどうかを判定するように構成される。いくつかの実施形態において、モバイルデバイスが位置固定点として動作できる受信された位置のセットは、ある要求の中で受信される。いくつかのそのような実施形態では、その要求は、位置測定サーバからの要求である。いくつかの実施形態では、その要求は、ブロードキャスト信号で伝えられる。いくつかの実施形態では、その要求は、モバイルデバイスと関連付けられる識別子によって識別されるモバイルデバイスへ特別に宛てられた信号の中で、伝えられる。様々な実施形態において、その要求は、モバイルデバイスが位置固定点として動作するように要求される時間の長さを示す時間情報を含む。いくつかの実施形態において、その要求は、モバイルデバイスが位置固定点として動作するように要求される期間または時間の範囲、たとえば時間の始点と終点を特定する情報を含む。
【００７１】
いくつかの実施形態では、近隣は、前記位置の少なくとも１つを含むある地理的な領域である。いくつかの実施形態において、その近隣は、前記少なくとも１つの位置の周りに所定の距離を有するように広がる領域である。
【００７２】
プロセッサ１９０２はさらに、モバイルデバイスの前記現在の位置が、受信された位置のセットの中の位置の少なくとも１つの近隣であるかどうかの判定に応じて、モバイルデバイスの動作を制御するように構成される。プロセッサ１９０２はさらに、前記モバイルデバイスが、受信された位置のセットの中の位置の少なくとも１つの近隣にある間、位置固定点として動作するように構成される。
【００７３】
いくつかの実施形態では、プロセッサ１９０２は、モバイルデバイスの現在の位置が、近隣の外側の位置に変わったと判定するように構成される。様々な実施形態において、プロセッサ１９０２は、近隣の外側の位置へと位置が変化したと判定されたことに応答して、位置固定点として動作するのを停止するように前記モバイルデバイスを制御するように構成される。
【００７４】
いくつかの実施形態では、プロセッサ１９０２は、モバイルデバイスが位置固定点として動作するように要求された時間の長さの間、モバイルデバイスが位置固定点として動作してきたと判定するように構成される。様々な実施形態では、プロセッサ１９０２は、モバイルデバイスが位置固定点として動作するように要求された時間の長さの間、モバイルデバイスが位置固定点として動作してきたと判定されたことに応答して、位置固定点として動作するのを停止するように前記モバイルデバイスを制御するように構成される。
【００７５】
いくつかの実施形態では、プロセッサ１９０２は、モバイルデバイスが位置固定点として動作するように要求された時間の終点に、現在の時刻が達したと判定するように構成される。様々な実施形態では、プロセッサ１９０２は、モバイルデバイスが位置固定点として動作するように要求された時間の終点に、現在の時刻が達したと判定されたことに応答して、位置固定点として動作するのを停止するように前記モバイルデバイスを制御するように構成される。
【００７６】
いくつかの実施形態では、プロセッサ１９０２は、電池の残量を監視し、電池の残量が所定のレベルよりも低いと判定されたことに応答して、位置固定点として動作するのを停止するようにモバイルデバイスを制御するように構成される。
【００７７】
様々な実施形態において、プロセッサ１９０２は、前記モバイルデバイスが位置固定点として動作してきたことを、ネットワークデバイスに報告するように構成される。いくつかのそのような実施形態では、プロセッサ１９０２はさらに、モバイルデバイスが位置固定点として動作してきた時間の長さを報告するように構成される。
【００７８】
いくつかの実施形態では、プロセッサ１９０２は、モバイルデバイスが位置固定点として動作するのをいつ開始したか、たとえば、一時的な位置固定点の有効化通知メッセージを、固定点として動作するようにモバイルデバイスに要求するデバイスへいつ送信したかを、報告するように構成される。いくつかのそのような実施形態では、一時的な位置固定点の有効化通知メッセージは、モバイルデバイスと関連付けられた識別子と、モバイルデバイスの現在の位置と、位置固定点として動作するのを開始する時間とを含む。いくつかのそのような実施形態では、一時的な位置固定点の有効化通知メッセージはさらに、モバイルデバイスと関連付けられる電力レベル、たとえば、位置固定点としての役割を果たす際に、少なくともいくつかの種類の信号をブロードキャストするためにモバイルデバイスによって使用されることになる電力レベルを特定する情報を、さらに含む。いくつかの実施形態では、プロセッサ１９０２は、モバイルデバイスが位置固定点として動作するのをいつ停止したか、たとえば、一時的な位置固定点の終了通知メッセージを、位置固定点として動作するようにモバイルデバイスに要求したデバイスへいつ送信したかを、報告するように構成される。
【００７９】
いくつかの実施形態では、プロセッサ１９０２は、位置固定点として動作するように前記モバイルデバイスを制御するように構成されることの一部として、ｉ）受信された信号強度とともに、信号の送信元のデバイスを特定する情報を、ネットワーク要素に報告することと、ｉｉ）位置情報を提供する信号をブロードキャストすることとのうちの、少なくとも１つを実行するように構成される。いくつかの実施形態では、プロセッサ１９０２は、位置固定点として動作するようにモバイルデバイスを制御するように構成されることの一部として、前記モバイルデバイスの位置を示すピア発見信号をブロードキャストするように構成される。様々な実施形態において、プロセッサ１９０２は、位置固定点として動作するようにモバイルデバイスを制御するように構成されることの一部として、前記モバイルデバイスが位置固定点として動作していることを示すピア発見信号をブロードキャストするように構成される。
【００８０】
いくつかの実施形態では、プロセッサ１９０２はさらに、位置固定点として動作したことに対する報奨を受けるように構成される。いくつかのそのような実施形態では、プロセッサ１９０２は、位置固定点として動作したことに対する補償を受けるように構成されることの一部として、前記モバイルデバイスに与えられるＱｏＳレベルの向上の許可を示す情報を受信するように構成される。いくつかの実施形態では、プロセッサ１９０２は、位置固定点として動作したことに対する報奨を受けるように構成されることの一部として、モバイルデバイスが以前は受ける資格のなかったサービスを受けるように構成される。様々な実施形態において、プロセッサ１９０２は、位置固定点として動作したことに対する報奨を受けるように構成されることの一部として、前記モバイルデバイスが使うサービスの料金に対する充当を前記モバイルデバイスに与える課金充当を受け取るように構成される。
【００８１】
図２０は、図１９に示されるモバイルデバイス１９００中で使用することができ、いくつかの実施形態では実際に使用される、モジュールのアセンブリ２０００である。アセンブリ２０００中のモジュールは、たとえば、個別回路として、図１９のプロセッサ１９０２内でハードウェアとして実装されてよい。代替的に、それらのモジュールは、ソフトウェアとして実装され、図１９に示したモバイルデバイス１９００のメモリ１９０４に記憶されてよい。図１９の実施形態では、単一のプロセッサ、たとえば、コンピュータとして示されているが、プロセッサ１９０２は、１つまたは複数のプロセッサ、たとえば、コンピュータとして実装され得ることを理解されたい。ソフトウェアで実装されるとき、それらのモジュールはコードを含み、そのコードは、プロセッサによって実行されたとき、プロセッサ１９０２、たとえば、コンピュータを、そのモジュールに対応する機能を実装するように構成する。いくつかの実施形態では、プロセッサ１９０２は、モジュールのアセンブリ２０００のモジュールの各々を実装するように構成される。モジュールのアセンブリ２０００がメモリ１９０４に記憶される実施形態では、メモリ１９０４は、コンピュータ可読媒体、たとえば非一時的コンピュータ可読媒体を備えるコンピュータプログラム製品であり、コンピュータ可読媒体は、少なくとも１つのコンピュータ、たとえば、プロセッサ１９０２に、モジュールが対応する機能を実装させるためのコード、たとえば、モジュールごとの個別コードを備える。
【００８２】
完全にハードウェアベースのまたは完全にソフトウェアベースのモジュールが、使用されてよい。しかし、機能を実装するために、（たとえば、回路実装型の）ソフトウェアモジュールとハードウェアモジュールの任意の組合せが使用され得ることを理解されたい。図２０に示すモジュールは、図１８のフローチャート１８００の方法において図示および／または説明される対応するステップの機能を実行するように、モバイルデバイス１９００、またはプロセッサ１９０２のようなそのデバイス１９００中の要素を、制御および／または構成することを理解されたい。
【００８３】
モジュールのアセンブリ２０００は、モバイルデバイスが位置固定点として動作できる位置のセットを受信するためのモジュール２００４と、モバイルデバイスの現在の位置を測定するためのモジュール２００６と、モバイルデバイスの前記現在の位置が、受信された位置のセットの中の位置の少なくとも１つの近隣にあるかどうかを判定するためのモジュール２００８と、モバイルデバイスの前記現在の位置が、受信された位置のセットの中の位置の少なくとも１つの近隣にあるかどうかの判定に応じて、モバイルデバイスの動作を制御するためのモジュール２０１０と、前記モバイルデバイスが前記受信された位置のセットの中の位置の少なくとも１つの近隣にある間に、位置固定点として動作するためのモジュール２０１２と、位置固定点として動作したことに対する報奨を受けるためのモジュール２０２６とを含む。
【００８４】
様々な実施形態では、前記近隣は、前記位置の少なくとも１つを含むある地理的な領域である。いくつかの実施形態において、その近隣は、前記少なくとも１つの位置の周りに所定の距離に広がる領域である。
【００８５】
いくつかの実施形態において、モバイルが位置固定点として動作できる受信された位置のセットは、ある要求の中で受信される。いくつかのそのような実施形態では、その要求は、たとえばアクセスポイントを介した、位置測定サーバからの要求である。いくつかの実施形態では、その要求は、ブロードキャスト信号で伝えられる。いくつかの実施形態では、その要求は、モバイルデバイスに特別に宛てられた信号に含まれ、たとえば、モバイルデバイスと関連付けられた識別子がその要求に含まれる。様々な実施形態では、識別子は、個々のデバイス識別子と、個々のユーザ識別子と、デバイスグループ識別子と、ユーザグループ識別子とのうちの１つである。いくつかの実施形態では、この要求は、モバイルデバイスが位置固定点として動作すべき時間の長さを示す、時間情報を含む。いくつかの実施形態では、この要求は、モバイルデバイスが位置固定点として動作するように要求されている時間の範囲を示す時間情報を含む。
【００８６】
いくつかの実施形態では、モジュール２０１２は、ｉ）受信された信号強度を、信号の送信元のデバイスを特定する情報とともに、ネットワーク要素に報告することと、ｉｉ）位置情報を提供する信号をブロードキャストすることとの少なくとも１つを実行するためのモジュール２０１４と、モバイルデバイスの位置を示すピア発見信号をブロードキャストするためのモジュール２０１６と、モバイルデバイスが位置固定点として動作していることを示すピア発見信号をブロードキャストするためのモジュール２０１８とのうちの、１つもしくは複数またはすべてを含む。様々な実施形態において、モジュール２０２６は、前記モバイルデバイスに与えられるＱｏＳレベルの向上の許可を示す情報を受信するためのモジュール２０２８と、モバイルデバイスが以前は受ける資格のなかったサービスを受けるためのモジュール２０３０と、前記モバイルデバイスが使うサービスの料金に対する充当を前記モバイルデバイスに与える課金充当を受け取るためのモジュール２０３２とのうちの、１つもしくは複数またはすべてを含む。
【００８７】
いくつかの実施形態では、モジュールのアセンブリ２０００は、モバイルデバイスの現在の位置が近隣の外側の位置に変わったかどうかを判定するためのモジュール２０２０と、たとえば、モバイルデバイスの位置が近隣の外側の位置に変わったという前記判定に応答して、位置固定点として動作するのを停止するように前記モバイルデバイスを制御するためのモジュール２０２２と、モバイルデバイスが位置固定点として動作するのを要求された時間の長さの間、モバイルデバイスが位置固定点として動作してきたかどうかを判定するためのモジュール２０５０と、モバイルデバイスが位置固定点として動作するのを要求された時間の長さの間、前記モバイルデバイスが位置固定点として動作してきたという前記判定に応答して、位置固定点として動作するのを停止するように前記モバイルデバイスを制御するためのモジュール２０５２と、モバイルデバイスが位置固定点として動作するのを要求された時間の終点に現在の時刻があるかどうかを判定するためのモジュール２０５４と、モバイルデバイスが位置固定点として動作するのを要求された時間の終点に達したという前記判定に応答して、位置固定点として動作するのを停止するように前記モバイルデバイスを制御するためのモジュール２０５６とを含む。
【００８８】
様々な実施形態において、モジュールのアセンブリ２０００は、ネットワークデバイス、たとえば位置測定サーバに、前記モバイルデバイスが位置固定点として動作するのを開始したと報告するためのモジュール２０５８と、ネットワークデバイス、たとえば位置測定サーバに、前記モバイルデバイスが位置固定点として動作するのを停止したと報告するためのモジュール２０６０と、ネットワークデバイス、たとえば位置測定サーバに、前記モバイルデバイスが位置固定点として動作してきたことを報告するためのモジュール２０２４とのうちの、１つもしくは複数またはすべてを含む。いくつかの実施形態では、モジュール２０２４は、モバイルデバイスが位置固定点として動作してきた時間の長さを報告するためのモジュール２０６２を含む。
【００８９】
いくつかの実施形態では、モジュールのアセンブリ２０００は、電池の残量を監視するためのモジュール２０６４と、電池の残量が所定のレベルよりも低いと判定されたことに応答して、位置固定点として動作するのを停止するように前記モバイルデバイスを制御するためのモジュール２０６６とを含む。
【００９０】
様々な実施形態において、モバイルデバイス、たとえば、図３のモバイルデバイス３００または図１９のモバイルデバイス１９００は、本出願の図面のいずれかに関して説明され、かつ／または本出願の発明を実施するための形態において説明された、個々のステップおよび／または動作それぞれに対応するモジュールを含む。これらのモジュールは、ハードウェアで実装される場合があり、ときには実際に実装される。他の実施形態では、モジュールは、通信デバイスのプロセッサによって実行されると、デバイスに、対応するステップまたは動作を実装させるプロセッサ実行可能命令を含むソフトウェアモジュールとして実装される場合があり、ときには実際に実装される。さらに他の実施形態では、モジュールの一部またはすべてが、ハードウェアとソフトウェアの組合せとして実装される。
【００９１】
様々な実施形態の技法は、ソフトウェア、ハードウェア、および／またはソフトウェアとハードウェアの組合せを使用して実装され得る。様々な実施形態は、装置、たとえば、モバイル端末などのモバイルノード、基地局、通信システムを対象とする。様々な実施形態はまた、方法、たとえば、モバイルノード、基地局、および／または通信システム、たとえば、ホストを制御および／または動作させる方法を対象とする。様々な実施形態はまた、方法の１つまたは複数のステップを実施するように機械を制御するための機械可読命令を含む、機械、たとえば、コンピュータ、可読媒体、たとえば、ＲＯＭ、ＲＡＭ、ＣＤ、ハードディスクなどを対象とする。コンピュータ可読媒体は、たとえば、非一時的コンピュータ可読媒体である。
【００９２】
開示したプロセスにおけるステップの具体的な順序または階層は、例示的な手法の一例であることを理解されたい。設計の選好に基づいて、プロセス中のステップの具体的な順序または階層は、本開示の範囲内のまま再構成できることを理解されたい。添付の方法クレームは、様々なステップの要素を例示的な順序で提示したものであり、提示された特定の順序または階層に限定されるものではない。
【００９３】
様々な実施形態では、本明細書で説明したノードは、１つまたは複数の方法に対応するステップ、たとえば、信号処理ステップ、信号生成ステップおよび／または送信ステップを実行するための、１つまたは複数のモジュールを使用して実装される。したがって、いくつかの実施形態では、様々な機能がモジュールを使用して実装される。そのようなモジュールは、ソフトウェア、ハードウェアまたはソフトウェアとハードウェアの組合せを使用して実装され得る。上記の方法または方法ステップの多くは、たとえば１つまたは複数のノードにおいて、上記の方法のすべてまたは一部を実施するために、追加のハードウェアの有無にかかわらず、機械、たとえば汎用コンピュータを制御するためのメモリデバイス、たとえば、ＲＡＭ、フロッピー（登録商標）ディスクなどのような機械可読媒体中に含まれる、ソフトウェアなどの機械実行可能命令を使用して実施され得る。したがって、特に、様々な実施形態は、機械、たとえば、プロセッサおよび関連するハードウェアに、上述の（１つまたは複数の）方法のステップのうちの１つまたは複数を実行させるための機械実行可能命令を含む機械可読媒体、たとえば非一時的コンピュータ可読媒体を対象とする。いくつかの実施形態は、本発明の１つまたは複数の方法のステップのうちの１つ、複数またはすべてを実施するように構成されたプロセッサを含むデバイス、たとえば、通信ノードを対象とする。
【００９４】
いくつかの実施形態では、１つまたは複数のデバイス、たとえば、アクセスノードおよび／またはワイヤレス端末などの通信ノードの１つまたは複数のプロセッサ、たとえば、ＣＰＵは、通信ノードによって実行されるものとして説明された方法のステップを実行するように構成される。プロセッサの構成は、プロセッサ構成を制御するために、１つまたは複数のモジュール、たとえばソフトウェアモジュールを使用することによって、かつ／または、列挙したステップを実行するために、かつ／もしくはプロセッサ構成を制御するために、プロセッサ中にハードウェア、たとえばハードウェアモジュールを含めることによって、達成され得る。したがって、すべてではないが、いくつかの実施形態は、プロセッサが含まれるデバイスによって実行される様々な説明された方法のステップの各々に対応するモジュールを含むプロセッサをもつデバイス、たとえば、通信ノードを対象とする。すべてではないが、いくつかの実施形態では、デバイス、たとえば、通信ノードは、プロセッサが含まれるデバイスによって実行される様々な説明された方法のステップの各々に対応する、モジュールを含む。モジュールは、ソフトウェアおよび／またはハードウェアを使用して実装され得る。
【００９５】
いくつかの実施形態は、１つのコンピュータまたは複数のコンピュータに、様々な機能、ステップ、行為、および／または動作、たとえば、上述の１つまたは複数のステップを実施させるためのコードを備えるコンピュータ可読媒体、たとえば非一時的コンピュータ可読媒体を備えるコンピュータプログラム製品を対象とする。実施形態に応じて、コンピュータプログラム製品は、実行すべきステップごとに異なるコードを含んでよく、ときには実際に含む。したがって、コンピュータプログラム製品は、方法、たとえば、通信デバイスまたはノードを制御する方法の個々のステップごとのコードを含んでよく、ときには実際に含む。コードは、ＲＡＭ（ランダムアクセスメモリ）、ＲＯＭ（読取り専用メモリ）、他のタイプの記憶デバイスなどのコンピュータ可読媒体、たとえば非一時的コンピュータ可読媒体上に記憶される、機械実行可能命令、たとえば、コンピュータ実行可能命令の形態であってよい。コンピュータプログラム製品を対象とすることに加えて、いくつかの実施形態は、上述の１つまたは複数の方法の様々な機能、ステップ、行為、および／または動作のうちの１つまたは複数を実施するように構成されるプロセッサを対象とする。したがって、いくつかの実施形態は、本明細書で説明される方法のステップの一部またはすべてを実施するように構成されたプロセッサ、たとえばＣＰＵを対象とする。プロセッサは、たとえば、本出願で説明する通信デバイスまたは他のデバイス中で使用するためのものであってよい。
【００９６】
ＯＦＤＭシステムに関して説明したが、様々な実施形態の方法および装置のうちの少なくともいくつかは、多くの非ＯＦＤＭおよび／または非セルラーシステムを含む広範囲の通信システムに適用可能である。
【００９７】
上記の説明に鑑みて、上述の様々な実施形態の方法および装置に関する多数の追加の変形形態が、当業者には明らかであろう。そのような変形形態は、範囲内に入ると考えるべきである。本方法および本装置は、ＣＤＭＡ、直交周波数分割多重化（ＯＦＤＭ）、および／または、通信デバイス間のワイヤレス通信リンクを与えるために使用され得る様々な他のタイプの通信技法とともに使用されてよく、様々な実施形態において実際に使用される。いくつかの実施形態では、１つまたは複数の通信デバイスは、ＯＦＤＭおよび／またはＣＤＭＡを使用してモバイルノードとの通信リンクを確立し、かつ／または、有線通信リンクもしくはワイヤレス通信リンクを介してインターネットもしくは別のネットワークへの接続性を与え得るアクセスポイントとして実装される。様々な実施形態において、モバイルノードは、本方法を実施するための、受信機／送信機回路ならびに論理および／またはルーチンを含む、ノートブックコンピュータ、個人情報端末（ＰＤＡ）、または他の携帯デバイスとして実装される。
以下に、本願出願の当初の特許請求の範囲に記載された発明を付記する。
［Ｃ１］
既知の位置においてモバイルデバイスを動作させる方法であって、
位置固定点として動作するように前記モバイルデバイスに指示する命令を受信することと、
前記命令を受信したことに応答して、位置固定点として動作することと
を備える、方法。
［Ｃ２］
位置固定点として動作することが、
ｉ）受信された信号強度を、前記信号の送信元のデバイスを特定する情報とともに、ネットワーク要素へ報告することと、
ｉｉ）位置情報を提供する信号をブロードキャストすることと
のうちの少なくとも１つを実行することを含む、Ｃ１に記載の方法。
［Ｃ３］
前記命令が、前記モバイルデバイスが位置固定点として動作すべき時間の長さを示す時間情報を含む、Ｃ２に記載の方法。
［Ｃ４］
位置固定点として動作したことに対する報奨を受けること
をさらに備える、Ｃ２に記載の方法。
［Ｃ５］
位置固定点として動作したことに対する報奨を受けることが、前記モバイルデバイスに与えられるＱｏＳレベルの向上の許可を示す情報を受信することを含む、Ｃ４に記載の方法。
［Ｃ６］
位置固定点として動作するように前記モバイルデバイスに指示する命令を受信するための手段と、
前記命令を受信したことに応答して、位置固定点として動作するための手段と
を備える、モバイルデバイス。
［Ｃ７］
位置固定点として動作するための前記手段が、
ｉ）受信された信号強度を、前記信号の送信元のデバイスを特定する情報とともに、ネットワーク要素へ報告するための手段と、
ｉｉ）位置情報を提供する信号をブロードキャストするための手段と
のうちの少なくとも１つを実行するための手段を含む、Ｃ６に記載のモバイルデバイス。
［Ｃ８］
前記命令が、前記モバイルデバイスが位置固定点として動作すべき時間の長さを示す時間情報を含む、Ｃ７に記載のモバイルデバイス。
［Ｃ９］
位置固定点として動作したことに対する報奨を受けるための手段
をさらに備える、Ｃ７に記載のモバイルデバイス。
［Ｃ１０］
位置固定点として動作したことに対する報奨を受けるための前記手段が、前記モバイルデバイスに与えられるＱｏＳレベルの向上の許可を示す情報を受信するための手段を含む、Ｃ９に記載のモバイルデバイス。
［Ｃ１１］
モバイルデバイスにおいて使用するためのコンピュータプログラム製品であって、
非一時的コンピュータ可読媒体を備え、前記非一時的コンピュータ可読媒体が、
位置固定点として動作するように前記モバイルデバイスに指示する命令を、少なくとも１つのコンピュータに受信させるためのコードと、
前記命令を受信したことに応答して、前記少なくとも１つのコンピュータに、位置固定点として動作するように前記モバイルデバイスを制御させるためのコードと
を備える、コンピュータプログラム製品。
［Ｃ１２］
位置固定点として動作するように前記モバイルデバイスに指示する命令を受信し、
前記命令を受信したことに応答して、位置固定点として動作するように前記モバイルデバイスを制御する
ように構成された、少なくとも１つのプロセッサと、
前記少なくとも１つのプロセッサに結合されたメモリと
を備える、モバイルデバイス。
［Ｃ１３］
前記少なくとも１つのプロセッサが、位置固定点として動作するように前記モバイルデバイスを制御するように構成されることの一部として、
ｉ）受信された信号強度を、前記信号の送信元のデバイスを特定する情報とともに、ネットワーク要素へ報告することと、
ｉｉ）位置情報を提供する信号をブロードキャストすることと
のうちの少なくとも１つを実行するように構成される、Ｃ１２に記載のモバイルデバイス。
［Ｃ１４］
前記命令が、前記モバイルデバイスが位置固定点として動作すべき時間の長さを示す時間情報を含む、Ｃ１３に記載のモバイルデバイス。
［Ｃ１５］
前記少なくとも１つのプロセッサがさらに、
位置固定点として動作したことに対する報奨を受ける
ように構成される、Ｃ１３に記載のモバイルデバイス。
［Ｃ１６］
モバイルデバイスを動作させる方法であって、
前記モバイルデバイスが位置固定点として動作できる位置のセットを受信することと、
前記モバイルデバイスの現在の位置を測定することと、
前記モバイルデバイスの前記現在の位置が、前記受信された位置のセットの中の位置の少なくとも１つの近隣であるかどうかを判定することと、
前記モバイルデバイスが前記受信された位置のセットの中の位置の少なくとも１つの前記近隣にある間、位置固定点として動作することと
を備える、方法。
［Ｃ１７］
前記モバイルデバイスの前記現在の位置が、前記近隣の外側の位置に変わったと判定することと、
前記モバイルデバイスの前記現在の位置が、前記近隣の外側の位置に変わったという前記判定に応答して、位置固定点として動作するのを停止することと
をさらに備える、Ｃ１６に記載の方法。
［Ｃ１８］
位置固定点として動作することが、
ｉ）受信された信号強度を、前記信号の送信元のデバイスを特定する情報とともに、ネットワーク要素へ報告することと、
ｉｉ）位置情報を提供する信号をブロードキャストすることと
のうちの少なくとも１つを実行することを含む、Ｃ１６に記載の方法。
［Ｃ１９］
位置固定点として動作したことに対する報奨を受けること
をさらに備える、Ｃ１６に記載の方法。
［Ｃ２０］
位置固定点として動作したことに対する報奨を受けることが、前記モバイルデバイスに与えられるＱｏＳレベルの向上の許可を示す情報を受信することを含む、Ｃ１９に記載の方法。
［Ｃ２１］
前記モバイルデバイスが位置固定点として動作できる位置のセットを受信するための手段と、
前記モバイルデバイスの現在の位置を測定するための手段と、
前記モバイルデバイスの前記現在の位置が、前記受信された位置のセットの中の位置の少なくとも１つの近隣であるかどうかを判定することと、
前記モバイルデバイスが前記受信された位置のセットの中の位置の少なくとも１つの前記近隣にある間、位置固定点として動作するための手段と
を備える、モバイルデバイス。
［Ｃ２２］
前記モバイルデバイスの前記現在の位置が、前記近隣の外側の位置に変わったかどうかを判定するための手段と、
前記モバイルデバイスの前記現在の位置が、前記近隣の外側の位置にあると判定されたことに応答して、位置固定点として動作するのを停止するように前記モバイルデバイスを制御するための手段と
をさらに備える、Ｃ２１に記載のモバイルデバイス。
［Ｃ２３］
位置固定点として動作するための前記手段が、
ｉ）受信された信号強度を、前記信号の送信元のデバイスを特定する情報とともに、ネットワーク要素へ報告するための手段と、
ｉｉ）位置情報を提供する信号をブロードキャストするための手段と
のうちの少なくとも１つを実行するための手段を含む、Ｃ２１に記載のモバイルデバイス。
［Ｃ２４］
位置固定点として動作したことに対する報奨を受けるための手段
をさらに備える、Ｃ２１に記載のモバイルデバイス。
［Ｃ２５］
位置固定点として動作したことに対する報奨を受けるための前記手段が、前記モバイルデバイスに与えられるＱｏＳレベルの向上の許可を示す情報を受信するための手段を含む、Ｃ２１に記載のモバイルデバイス。
［Ｃ２６］
モバイルデバイスにおいて使用するためのコンピュータプログラム製品であって、
非一時的コンピュータ可読媒体を備え、前記非一時的コンピュータ可読媒体が、
前記モバイルデバイスが位置固定点として動作できる位置のセットを、少なくとも１つのコンピュータに受信させるためのコードと、
前記少なくとも１つのコンピュータに、前記モバイルデバイスの現在の位置を測定させるためのコードと、
前記モバイルデバイスの前記現在の位置が、前記受信された位置のセットの中の位置の少なくとも１つの近隣であるかどうかを、前記少なくとも１つのコンピュータに判定させるためのコードと、
前記モバイルデバイスが、前記受信された位置のセットの中の位置の少なくとも１つの前記近隣にある間、前記少なくとも１つのコンピュータに位置固定点として動作させるためのコードと
を備える、コンピュータプログラム製品。
［Ｃ２７］
前記モバイルデバイスが位置固定点として動作できる位置のセットを受信し、
前記モバイルデバイスの現在の位置を測定し、
前記モバイルデバイスの前記現在の位置が、前記受信された位置のセットの中の位置の少なくとも１つの近隣であるかどうかを判定し、
前記モバイルデバイスが前記受信された位置のセットの中の位置の少なくとも１つの前記近隣にある間、位置固定点として動作する
ように構成された、少なくとも１つのプロセッサと、
前記少なくとも１つのプロセッサに結合されたメモリと
を備える、モバイルデバイス。
［Ｃ２８］
前記少なくとも１つのプロセッサがさらに、
前記モバイルデバイスの前記現在の位置が、前記近隣の外側の位置に変わったかどうかを判定し、
前記モバイルデバイスの前記現在の位置が、前記近隣の外側の位置に変わったという判定に応答して、位置固定点として動作するのを停止する
ように構成される、Ｃ２７に記載のモバイルデバイス。
［Ｃ２９］
前記少なくとも１つのプロセッサが、位置固定点として動作するように構成されることの一部として、
ｉ）受信された信号強度を、前記信号の送信元のデバイスを特定する情報とともに、ネットワーク要素へ報告することと、
ｉｉ）位置情報を提供する信号をブロードキャストすることと
のうちの少なくとも１つを実行するように構成される、Ｃ２７に記載のモバイルデバイス。
［Ｃ３０］
前記少なくとも１つのプロセッサがさらに、
位置固定点として動作したことに対する報奨を受ける
ように構成される、Ｃ２７に記載のモバイルデバイス。
【図１】
0005623646.tif 000002
【図２】
0005623646.tif 000003
【図３】
0005623646.tif 000004
【図４】
0005623646.tif 000005
【図５】
0005623646.tif 000006
【図６】
0005623646.tif 000007
【図７】
0005623646.tif 000008
【図８】
0005623646.tif 000009
【図９】
0005623646.tif 000010
【図１０】
0005623646.tif 000011
【図１１】
0005623646.tif 000012
【図１２】
0005623646.tif 000013
【図１３】
0005623646.tif 000014
【図１４】
0005623646.tif 000015
【図１５】
0005623646.tif 000016
【図１６】
0005623646.tif 000017
【図１７】
0005623646.tif 000018
【図１８】
0005623646.tif 000019
【図１９】
0005623646.tif 000020
【図２０】
0005623646.tif 000021